(57)【要約】【課題】番組情報メディアから提供される電子番組表データに基づいて構成される番組表において、録画用メディアに録画した番組と録画していない番組とを容易に区別できるようにする。【解決手段】録画用メディアに対して、放送される内容を録画しつつ、その録画内容に対応づけて、録画を行った時間帯及びチャンネルを特定可能な録画ＩＤを記録する録画・再生部１３と、番組情報メディアから電子番組表データを取得する再生部１２と、録画用メディアから録画ＩＤを抽出するとともに、番組情報メディアから各番組が放送される時間帯及びチャンネルを特定可能な番組ＩＤを抽出するＩＤ抽出部２３と、抽出した録画ＩＤと番組ＩＤとに基づいて、録画用メディアに録画されている録画内容と電子番組表データにより構成される番組表中の番組との対応関係を認識するＩＤ比較部２２とを番組録画装置１に備える。【選択図】　図１
2004140527.tif 000002
【特許請求の範囲】
【請求項１】
放送される内容を記録媒体に記録するとともに、その記録内容に対応づけて、その記録を行った時間帯及びチャンネルを特定可能な第１識別情報を前記記録媒体に記録する記録手段と、
放送される複数の番組の番組表を構成するために予め作成された電子番組表データを取得する電子番組表データ取得手段と、
前記記録媒体から前記第１識別情報を抽出するとともに、前記取得した電子番組表データから、前記各番組が放送される時間帯及びチャンネルを特定可能な前記各番組に対応づけられた第２識別情報を抽出する識別情報抽出手段と、
前記抽出した第１識別情報と第２識別情報とに基づいて、前記記録媒体に記録されている記録内容と、前記電子番組表データにより構成される番組表中の番組との対応関係を認識する認識手段とを備えることを特徴とする番組記録装置。
【請求項２】
前記電子番組表データに基づいて前記番組表を表示するための表示データを生成しつつ、前記認識手段にて前記記録媒体に記録されている記録内容に対応すると認識された番組が、他の番組とは異なる表示方法で表示されるように前記表示データに編集を施す番組表作成手段を備えることを特徴とする請求項１に記載の番組記録装置。
【請求項３】
前記電子番組表データに含まれ、かつ、前記各第２識別情報に対応づけられている付加情報に対して、ユーザの入力した条件のもとで検索を行って、特定の第２識別情報を選択する検索手段と、
前記電子番組表データに基づいて前記番組表を表示するための表示データを生成しつつ、前記認識手段にて前記記録媒体に記録されている記録内容に対応すると認識され、かつ、前記選択された特定の第２識別情報に対応する番組が、他の番組とは異なる表示方法で表示されるように前記表示データに編集を施す番組表作成手段を備えることを特徴とする請求項１に記載の番組記録装置。
【請求項４】
前記認識手段にて前記記録媒体に記録されている記録内容に対応すると認識された番組に関する付加情報を、前記電子番組表データから取得する情報取得手段を備えることを特徴とする請求項１に記載の番組記録装置。
【請求項５】
前記記録手段は、前記取得した付加情報を前記記録媒体に記録することを特徴とする請求項４に記載の番組記録装置。
【請求項６】
前記記録手段により、放送される複数の番組にまたがって前記記録媒体への記録が行われた場合に、当該記録内容に対応づけられた第１識別情報と、前記電子番組表データから抽出された第２識別情報とに基づいて、当該記録内容を分割し、分割された各記録内容に対して新たに第１識別情報を付与する番組分割手段を備えることを特徴とする請求項１に記載の番組記録装置。
【請求項７】
前記電子番組表データには、番組が再放送番組である場合に、その再放送番組の前記第２識別情報に対応づけて、その再放送番組と同一内容で以前に放送された前回放送番組の第２識別情報が含まれており、
前記再放送番組の第２識別情報と、前記前回放送番組の第２識別情報とに基づいて、前記第１識別情報に対応する記録内容に前回放送番組の未記録部分があった場合に、その未記録部分を記録するように前記記録手段を制御する記録制御手段を備えることを特徴とする請求項１に記載の番組記録装置。
【請求項８】
ユーザを識別する識別手段と、
前記記録媒体又はその記録媒体に記録された記録内容が、前記識別手段により識別されたユーザが利用できるものであるか否かを判別する認証手段とを備えることを特徴とする請求項１に記載の番組記録装置。
【請求項９】
放送される内容を記録媒体に記録するとともに、その記録内容に対応づけて、その記録を行った時間帯及びチャンネルを特定可能な第１識別情報を前記記録媒体に記録するステップと、
放送される複数の番組の番組表を構成するために予め作成された電子番組表データを取得するステップと、
前記記録媒体から前記第１識別情報を抽出するとともに、前記取得した電子番組表データから、前記各番組が放送される時間帯及びチャンネルを特定可能な前記各番組に対応づけられた第２識別情報を抽出するステップと、
前記抽出した第１識別情報と第２識別情報とに基づいて、前記記録媒体に記録されている記録内容と、前記電子番組表データにより構成される番組表中の番組との対応関係を認識するステップとを含むことを特徴とする記録番組管理方法。
【請求項１０】
前記電子番組表データに基づいて前記番組表を表示するための表示データを生成しつつ、前記認識手段にて前記記録媒体に記録されている記録内容に対応すると認識された番組が、他の番組とは異なる表示方法で表示されるように前記表示データに編集を施すステップを含むことを特徴とする請求項９に記載の記録番組管理方法。
【発明の詳細な説明】
【０００１】
【発明の属する技術分野】
本発明は、テレビジョン放送などで放送される番組を記録媒体に記録する番組記録装置、及び記録した番組を管理する記録番組管理方法に関するものである。
【０００２】
【従来の技術】
従来、テレビジョン放送の番組をビデオデッキ（ＶＣＲ）等の番組録画機器に録画することは、一般家庭においても日常的に行われている。番組を事前に録画予約する場合には、一般に、新聞や雑誌の番組欄を見て、ユーザの嗜好に沿って所望の番組を探し出すとともに、その番組の放送時間を確認し、ＶＣＲに対してチャンネル番号、放送年月日、録画開始時刻、録画終了時刻を設定するという手続を行うことになる。すなわち、ＶＣＲの表示部、あるいはＶＣＲを接続したテレビジョン（ＴＶ）の画面に対し、ＶＣＲで記憶している日付、曜日、録画開始時刻、録画終了時刻、チャンネル番号等の予約リストを転送して表示させ、この予約リストにおける各項目データをユーザに入力させることで、所望の番組の録画予約を行っている。
【０００３】
また、この予約操作を簡単にするために、新聞の番組欄やテレビ雑誌等に番組毎に掲載されている８桁以下のＧコードと呼ばれる数字をリモートコントローラ等に入力し、ＶＣＲ本体に転送することで、番組の録画予約を行う方法もある。
【０００４】
ところで、上記のようにして録画予約を行う場合、ユーザは、所望の番組に関するチャンネル番号、放送年月日、録画開始時刻、録画終了時刻等の情報を、新聞や雑誌等で確認しながら個々に入力する、あるいはＧコードの数値配列を入力するといった操作が必要になる。このため、入力操作のミスにより録画予約の内容が誤って設定されることがある。
【０００５】
一方、最近では、ケーブルＴＶやデジタル衛星放送など、ＴＶ放送で提供される番組数が１００チャンネルを越えることもよくある。チャンネル数が少ないときは、単に各チャンネルで放送されている内容を順次確認して所望の番組を選択すればよかったが、チャンネル数が多くなると、このような方法ではすべての番組を確認することが困難になる。
【０００６】
そこで、このような不便さを補って番組の選択を先導するものとして、ＥＰＧ（Ｅｌｅｃｔｒｏｎｉｃ　Ｐｒｏｇｒａｍ　Ｇｕｉｄｅ）などの視聴ナビゲーションが提案されている。ＥＰＧとしては、番組情報をテキスト（Ｈｙｐｅｒ　Ｔｅｘｔ　Ｍａｒｋｕｐ　Ｌａｎｇｕａｇｅ　；ＨＴＭＬなど）で記述するものと、提供するマルチメディアの画面（ＭＨＥＧ−５及び拡張ＨＴＭＬ）を記述するものとの、大きく分けて２通りの形態が提案されている。
このＥＰＧは、映像データや音声データとあわせて放送電波に多重化されて送信される。そして、この放送電波の受信器であるデジタル放送に対応するＴＶ側で、ＥＰＧのデータ部分を抽出し、解釈して、視聴ナビゲーション用の画面を表示する（例えば、特許文献１参照）。
【０００７】
そして、ＥＰＧ等により提供される番組情報に基づき、番組のカテゴリやキーワードに沿って所望の番組を選択できるようにするとともに、選択された番組について番組情報に基づいて録画予約等をできるようにした技術もある（例えば、特許文献１又は２）。
【０００８】
また、番組情報をＤＶＤ−ＲＡＭ等の記録媒体に記録しておき、この番組情報に基づいて録画予約等をできるようにするとともに、実際に録画する際には、上記番組情報が記録された記録媒体中の「動画記録領域」に動画像を記録する技術が、特許文献３に開示されている。この技術では、記録媒体の「番組及びインデックス情報記録領域」に録画予約情報や、録画後のインデックス情報が記録されるようになっている。インデックス情報としては、番組情報や録画予約情報に基づいて記録される、録画した各番組の「番組タイトル」「種類」「録画日時」「録画開始位置」「録画時間」等が記録される。これにより、番組情報に基づいて作成される番組表から所望の番組を直接指定して録画予約を行い、その録画予約情報をインデックス情報記録領域に記録された指定番組の番組情報に対応させて管理でき、しかも、この録画予約情報にしたがって実際に番組が録画される際には、録画予約した番組の画像が動画記録領域に記録されるとともに、対応する番組情報に付加する形態で、上記インデックス情報を記録して管理できるようになっている。
【０００９】
【特許文献１】
特開２０００−１１５６４６号公報（公開日２０００年４月２１日）
【００１０】
【特許文献２】
特開平７−１３５６２１号公報（公開日１９９５年５月２３日）
【００１１】
【特許文献３】
特開平１０−９３９０５号公報（公開日１９９８年４月１０日）
【００１２】
【発明が解決しようとする課題】
上記ＥＰＧは、録画予約を正確かつ簡単に行うことを可能とするという点では優れた技術である。しかし、ＥＰＧでは、既に録画した番組と録画していない番組とを区別する、あるいは録画した番組についてその内容を素早く把握できるようにする、といったことはできなかった。
【００１３】
すなわち、番組の録画に用いられつつある光ディスク等の記録媒体は高密度記録が可能なため、ユーザはこれまで以上に１つの記録媒体に対して多くの番組を録画しがちである。また、録画した番組を、他の番組の録画前に視聴し、削除することは稀である。その結果、１つの記録媒体に録画される番組数は大幅に増加することになる。このような状況は、例えば、１つの記録媒体に多数の番組をまとめ撮りしておいて、週末や長期休暇中に集中して視聴するという場合において生じやすい。
【００１４】
このような状況においては、保存の必要性を判断する、視聴の優先順位をつける、あるいは連続ドラマであれば放送順を確認するなどのため、各番組の内容を把握する必要が生じ得る。内容把握を行う方法としては、従来、録画されている各番組内容の一部分を順次再生していくことにより、内容の把握・確認を行って、上記保存の必要性の判断等を行っていた。
【００１５】
しかし、この方法では、録画されている番組内容の一部分を順次再生する必要があるため、内容の把握が迅速に行えないという問題がある。また、上述したように、多数の番組が録画されている場合には、内容の把握を行うだけで多くの時間を消費してしまうという問題があった。
【００１６】
さらに、間もなく始まる番組を是非とも録画したいが、記録媒体の残容量が少なくこのままでは録画が行えないため、不要な番組を消去することにより記録可能な容量を回復させたいという状況が生じ得る。このような状況において、上記のように録画されている各番組内容の一部分を再生することにより内容の把握・確認を行って、保存の必要性を判断していたのでは、番組開始時刻に間に合わないといった不具合も生じ得る。
【００１７】
一方、上記特許文献３に開示された技術では、番組情報とインデックス情報とをリンクさせることにより、表示する番組情報の一覧表に記録済のマークを付けたり、色を変えて画像出力したりすることによって、番組が録画済か否かを容易に判断できるようにすることが可能となっている。
【００１８】
ところが、この技術では、番組情報が記録された記録媒体に動画像を記録することにより、番組情報とインデックス情報との関連付けを可能としているため、事前に番組情報が記録されている記録媒体に番組を録画しなければならないといった録画時の制約がある。そのため、事前に記録媒体に番組情報を記録しておかなければならないという不便さがあった。この場合、番組情報を記録することにより記録媒体の空き容量が減少し、実際に番組を記録できる容量が少なくなってしまうという問題も生じる。
【００１９】
また、この技術では、録画予約情報に基づいてインデックス情報が記録媒体に記録されるようになっているため、録画予約をして録画しなければならないといった録画時の制約がある。つまり、録画予約をすることなく、番組視聴中にユーザが録画ボタンを押すことで録画を行った場合には、インデックス情報に基づく管理ができなくなってしまう。
【００２０】
本発明は、上記の問題点に鑑みてなされたものであり、その目的は、録画時の上記のような制約を受けることなく、記録媒体に記録している番組とそうでない番組とを容易に識別できる番組記録装置や記録番組管理方法を提供することにある。
【００２１】
【課題を解決するための手段】
本発明の番組記録装置は、放送される内容を記録媒体に記録するとともに、その記録内容に対応づけて、その記録を行った時間帯及びチャンネルを特定可能な第１識別情報を前記記録媒体に記録する記録手段と、放送される複数の番組の番組表を構成するために予め作成された電子番組表データを取得する電子番組表データ取得手段と、前記記録媒体から前記第１識別情報を抽出するとともに、前記取得した電子番組表データから、前記各番組が放送される時間帯及びチャンネルを特定可能な前記各番組に対応づけられた第２識別情報を抽出する識別情報抽出手段と、前記抽出した第１識別情報と第２識別情報とに基づいて、前記記録媒体に記録されている記録内容と、前記電子番組表データにより構成される番組表中の番組との対応関係を認識する認識手段とを備えることを特徴としている。
【００２２】
また、本発明の記録番組管理方法は、放送される内容を記録媒体に記録するとともに、その記録内容に対応づけて、その記録を行った時間帯及びチャンネルを特定可能な第１識別情報を前記記録媒体に記録するステップと、放送される複数の番組の番組表を構成するために予め作成された電子番組表データを取得するステップと、前記記録媒体から前記第１識別情報を抽出するとともに、前記取得した電子番組表データから、前記各番組が放送される時間帯及びチャンネルを特定可能な前記各番組に対応づけられた第２識別情報を抽出するステップと、前記抽出した第１識別情報と第２識別情報とに基づいて、前記記録媒体に記録されている記録内容と、前記電子番組表データにより構成される番組表中の番組との対応関係を認識するステップとを含むことを特徴としている。
【００２３】
上記の構成又は方法では、第１識別情報と第２識別情報とに基づくことにより、既に記録媒体に記録した記録内容が、番組表を構成するための電子番組表データにおけるどの番組に対応しているのかを認識することができる。したがって、この認識結果を利用することにより、例えば、番組表において既に記録している番組とそうでない番組とを区別して表示するなどといったことが可能になる。
【００２４】
ここで、第１識別情報は、記録内容に対応づけて記録媒体に記録されており、その記録を行った時間帯及びチャンネルを特定可能にする情報である。また、第２識別情報は、各番組に対応づけられており、各番組が放送される時間帯及びチャンネルを特定可能にする情報である。したがって、第１識別情報と第２識別情報とを比較することにより、記録内容にどの番組が含まれているか、といったことを容易に判断することができる。
【００２５】
このような第１識別情報と第２識別情報とに基づいて記録内容と番組との対応関係を認識することにより、第１識別情報及び記録内容が記録されている記録媒体には第２記録情報を含んだ電子番組表データが記録されていない場合でも、対応関係の認識が可能になる。つまり、記録内容を、第２識別情報を含んだ電子番組表データが予め記録された記録媒体に対して記録しなければならない、といった制約を排除することができるようになる。したがって、記録媒体に記録可能な容量が、第２識別情報を含む電子番組表データを記録することにより減少することも回避することができる。また、記録内容を記録した後で電子番組表データを取得して対応関係を認識するといったことも可能になる。
【００２６】
また、第１識別情報及び記録内容が第２識別情報とは無関係に記録媒体に記録されている場合などにおいても、対応関係の認識が可能になる。つまり、第２識別情報に基づいて記録の予約などを行った上で記録しなければならない、といった制約を排除することができるようになる。
【００２７】
なお、第１識別情報と第２識別情報とを比較する際には、記録内容の記録を行った時間帯と番組の放送時間帯とが完全に一致する場合のほか、これらの時間帯の一部が一致する場合にも、対応関係があるものと認識した方が好ましい場合もある。番組の放送時間帯と、記録を行った時間帯とが正確に一致していなくても、実質的には対応しているものとみなせることが多いからである。例えば、番組記録装置において時刻等の情報を発生する手段が誤差を含んだ情報を発生している、あるいは、コマーシャル等の時間を考慮して記録の開始や終了時刻を調整するといったことが想定されるからである。
【００２８】
本発明の番組記録装置は、前記電子番組表データに基づいて前記番組表を表示するための表示データを生成しつつ、前記認識手段にて前記記録媒体に記録されている記録内容に対応すると認識された番組が、他の番組とは異なる表示方法で表示されるように前記表示データに編集を施す番組表作成手段を備えることが望ましい。
【００２９】
また、本発明の記録番組管理方法は、前記電子番組表データに基づいて前記番組表を表示するための表示データを生成しつつ、前記認識手段にて前記記録媒体に記録されている記録内容に対応すると認識された番組が、他の番組とは異なる表示方法で表示されるように前記表示データに編集を施すステップを含むことが望ましい。
【００３０】
上記の構成又は方法では、番組表を表示する際に、記録媒体に記録されている記録内容に対応すると認識された番組を、他の番組とは異なる表示方法、つまり、視角上の差異が生じるような表示方法で表示することができる。これにより、表示された番組表を見たユーザは、記録媒体に記録した番組と、記録していない番組とを容易に判別できるようになる。
【００３１】
なお、表示方法を異ならせるには、例えば、番組をセルごとに表示するスタイルの番組表において、セルの背景の色を異ならせる、セル内の番組名等の書体や色を異ならせる、特定のセルにハッチング等を付する、特定のセルを立体表示させるなどといった方法が考えられる。また、記録内容に対応する番組に対しては、電子番組表データに含まれるその番組に関連する情報を表示し、対応しない番組に対しては、そのような表示を行わないといった方法でもよい。
【００３２】
また、番組表の表示スタイルとしては、新聞や雑誌等の表示形式にしたがったものが好ましい。これによると、単に番組をリスト表示する場合に比べ、違和感がなく、記録済であるかどうかも確認しやすい。
【００３３】
本発明の番組記録装置は、前記電子番組表データに含まれ、かつ、前記各第２識別情報に対応づけられている付加情報に対して、ユーザの入力した条件のもとで検索を行って、特定の第２識別情報を選択する検索手段と、前記電子番組表データに基づいて前記番組表を表示するための表示データを生成しつつ、前記認識手段にて前記記録媒体に記録されている記録内容に対応すると認識され、かつ、前記選択された特定の第２識別情報に対応する番組が、他の番組とは異なる表示方法で表示されるように前記表示データに編集を施す番組表作成手段を備えることが望ましい。
【００３４】
上記の構成では、番組表を表示する際に、記録媒体に記録されている記録内容に対応すると認識され、かつ、ユーザの入力した条件に適合する番組を、他の番組とは異なる表示方法で表示することができる。これにより、表示された番組表を見たユーザは、記録媒体に記録した番組の中で、ユーザの入力した条件に適合する番組を容易に探し当てることができるようになる。
【００３５】
なお、上記「他の番組」には、記録媒体に記録されているがユーザの入力した条件に適合しない番組、及び記録媒体に記録されていない番組が含まれる。これらを同じ表示方法で表示してもよく、互いに異なる表示方法で表示してもよい。
【００３６】
本発明の番組記録装置は、前記認識手段にて前記記録媒体に記録されている記録内容に対応すると認識された番組に関する付加情報を、前記電子番組表データから取得する情報取得手段を備えることが望ましい。
【００３７】
上記の構成では、記録媒体に記録された記録内容についての付加情報を取得することができ、これを表示するなどすることにより、ユーザは、記録内容に関する付加情報を得ることができる。したがって、記録内容を実際に再生することなく、付加情報に基づいて記録内容が必要かどうかを判断し、不要な記録内容を消去するといったことを簡単に行うことができるようになる。付加情報としては、番組の概略内容や、出演者の詳細情報、番組の１シーン等が考えられる。
【００３８】
本発明の番組記録装置は、前記記録手段は、前記取得した付加情報を前記記録媒体に記録することが望ましい。
【００３９】
上記の構成では、記録媒体に付加情報を記録しておくことにより、後に電子番組表データを取得できないような状況においても、付加情報を記録媒体から取得して用いることができるようになる。
【００４０】
本発明の番組記録装置は、前記記録手段により、放送される複数の番組にまたがって前記記録媒体への記録が行われた場合に、当該記録内容に対応づけられた第１識別情報と、前記電子番組表データから抽出された第２識別情報とに基づいて、当該記録内容を分割し、分割された各記録内容に対して新たに第１識別情報を付与する番組分割手段を備えることが望ましい。
【００４１】
上記の構成では、放送される複数の番組を連続して記録したような場合に、各番組の放送時間帯を特定可能な第２識別情報に基づいて、記録内容を各番組ごとに分割し、改めて第１識別情報を付与することができる。したがって、改めて付与した第１識別情報に基づいて各番組の頭出し等を容易に行うことができるようになる。
【００４２】
本発明の番組記録装置は、前記電子番組表データには、番組が再放送番組である場合に、その再放送番組の前記第２識別情報に対応づけて、その再放送番組と同一内容で以前に放送された前回放送番組の第２識別情報が含まれており、前記再放送番組の第２識別情報と、前記前回放送番組の第２識別情報とに基づいて、前記第１識別情報に対応する記録内容に前回放送番組の未記録部分があった場合に、その未記録部分を記録するように前記記録手段を制御する記録制御手段を備えることが望ましい。
【００４３】
上記の構成では、放送された番組（前回放送番組）の一部を記録し損ねたような場合に、後に同一内容の番組（再放送番組）が放送されたときに記録し損ねた部分（未記録部分）を補うように記録することができる。すなわち、再放送番組が放送される時間帯及びチャンネルを特定可能な再放送番組の第２識別情報と、前回放送番組が放送された時間帯及びチャンネルを特定可能な前回放送番組の第２識別情報と、記録内容の記録を行った時間帯及びチャンネルを特定可能な第１識別情報とに基づくことにより、未記録部分を認識してその部分を記録することが可能になる。
【００４４】
本発明の番組記録装置は、ユーザを識別する識別手段と、前記記録媒体又はその記録媒体に記録された記録内容が、前記識別手段により識別されたユーザが利用できるものであるか否かを判別する認証手段とを備えることが望ましい。
【００４５】
上記の構成では、ユーザごとに記録媒体や記録内容を管理することができ、他のユーザが誤って記録媒体への記録を行ったり、記録内容を削除してしまったりすることを防止することができる。また、他のユーザには記録内容を再生できないようにすることもできる。
【００４６】
【発明の実施の形態】
本実施形態の番組録画装置１の構成について説明する。図１に番組録画装置１のブロック構成を、図２に番組録画装置１の外観を示す。
【００４７】
図２に示すように、番組録画装置１は、本体２及びリモコン３から構成されている。ここで、本体２は、各種表示を行う表示窓２ａ、リモコン３からの信号を受信する受信窓２ｂ、録画開始ボタン２ｃ、停止ボタン２ｄ、光ディスク等の記録媒体を挿入するための第１及び第２挿入口２ｅ・２ｆ等を備えている。
【００４８】
また、リモコン３は、ユーザによる各種入力に基づく入力信号を、赤外線などによって本体２に送信するためのものである。リモコン３には、選択ボタン３ａ、録画開始ボタン３ｂ、停止ボタン３ｃ、テンキー３ｄ等を備えている。
【００４９】
番組録画装置１のブロック構成は図１のようになる。番組録画装置１は、番組録画装置１の各種制御や処理を行う制御部１１、第１挿入口２ｅに挿入される記録媒体に記録されている映像情報や番組情報などを再生する再生部１２、第２挿入口２ｆに挿入される記録媒体に番組を録画し、また録画した番組を再生するための録画・再生部１３、現在の時刻や日付等を示す日時情報を生成する日時情報生成部１４、制御部１１における各種制御や処理に用いられる情報を記憶するためのメモリ１５、選択されたチャンネルのテレビジョン放送を受信するための放送受信部１６、ユーザによる各種入力を受け付ける入力部１７、各種表示や再生部１２及び録画・再生部１３で再生した映像の表示を行う表示部１８等を備えている。
【００５０】
なお、図２に示したリモコン３、受信窓２ｂ、録画開始ボタン２ｃ、及び停止ボタン２ｄは入力部１７に含まれている。図２に示すリモコン３以外の構成は、本体２に備えられている。
【００５１】
また、ここでは表示部１８として、本体２に接続されたテレビジョン（図示せず）の画面に表示を行うための表示データを、テレビジョンに対して出力するための構成を想定するが、本体２の表示窓２ａに表示を行うものであってもよい。
【００５２】
再生部１２は、多数のチャンネルで一定期間内に放送される番組の番組表を構成するために、放送関係の情報提供業者などによって予め作成された電子番組表データが記録された記録媒体（番組情報メディア）を主に再生するものである。
【００５３】
また、録画・再生部１３は、放送される番組を録画できる記録媒体（録画用メディア）に対して、放送受信部１６で受信した番組を録画し、また、録画した録画内容を再生するものである。
【００５４】
制御部１１は、再生部１２で再生された電子番組表データを用いた各種処理を行う番組情報処理部２１、電子番組表データに基づく番組表を表示するための表示データを生成する表示画面生成部２５、放送受信部１６によって受信するチャンネルを制御するチャンネル制御部２７、録画用メディアへの録画や録画用メディアからの再生の各種処理を行う録画・再生処理部２６、番組情報メディア及び録画用メディアにそれぞれ含まれている番組ＩＤ及び録画ＩＤに関する各種処理を行うＩＤ比較部２２、ＩＤ抽出部２３、及びＩＤ生成部２４を含んでいる。
【００５５】
再生部１２によって番組情報メディアから読み出される電子番組表データに含まれる番組情報のフォーマットの例を図３に示す。この番組情報の集合を含んで電子番組表データが構成されている。
【００５６】
番組情報は、各番組に対応したものであり、従来の新聞や雑誌の番組欄等に表示されているチャンネル及び放送時間帯を特定できる情報である番組ＩＤを含んでいる。番組ＩＤは、放送時間帯が、２００２年６月２０日１８：００から１８：５４であり、放送チャンネルが２チャンネルの番組を想定した場合、例えば、これらの数字を並べて構成される「０２０６２０１８００１８５４００２」等の数字列として与えられる。なお、放送チャンネルは、地上波放送や衛星放送、ＣＡＴＶ等において、例えば放送局ごとに割り当てられているチャンネルを意味する。また、番組情報は、番組に関する情報としての付加情報１から３を含んでいる。付加情報１は番組名や出演者の情報を、付加情報２は番組内容やジャンル、キーワード等の情報を、付加情報３は番組の１シーン（静止画又は動画）を含んでいる。
【００５７】
なお、ここでは放送チャンネルの番号として、例えば２チャンネルに対しては「００２」を対応させているが、これに地域を区別するための数字を追加するようにしてもよい。例えば、関西で放送される番組に対しては「０６」を追加して「０６００２」とし、関東で放送される番組に対しては「０３」を追加して「０３００２」としてもよい。これにより、受信地域ごとに放送チャンネルが異なる場合にも、正確に番組を特定することができるようになる。
【００５８】
この番組情報は、再生部１２によって番組情報メディアから再生され、番組情報処理部２１によってその内容が認識される。そして、番組情報処理部２１によって認識された内容に基づいて、表示画面生成部２５によって図４に示すような番組表３１の表示画面が構成され、表示部１８によって表示される。なお、図４には、約１日分の番組表を図示しているが、例えば画面をスクロールするなどの方法により、１週間分や１ヶ月分など、より長期間の番組表を表示できることが望ましい。
【００５９】
番組表３１に表示される情報としては、番組ＩＤから得られるチャンネルや放送時間帯の他、付加情報１の情報である番組名３２や出演者３３がある。各番組の情報は、番組表３１において放送時間帯や放送チャンネルによって区切られる番組セル３５内に表示される。
【００６０】
番組情報にその他の付加情報が含まれている場合には、その付加情報に相当するアイコン３４も番組セル３５内に表示される。そして、ユーザが、番組表３１上に表示されている選択用カーソル３６をリモコン３の選択ボタン３ａ（図２参照）により操作して、特定のアイコン３４を選択することで、図５に示すように、付加情報用画面３７に付加情報が表示される。なお、図４及び図５では、アイコン３４を「▲１▼、▲２▼、▲３▼」のように簡単に図示しているが、アイコン３４は番組情報に対応したデザインのものであってもよい。
【００６１】
番組録画装置１では、この番組表３１を用いて録画予約を行うことができるようになっている。すなわち、ユーザがリモコン３の選択ボタン３ａにより選択用カーソル３６を操作し、録画したい番組の番組名３２を選択することで、録画予約することができるようになっている。このとき、番組情報処理部２１は、番組ＩＤに基づく放送開始時刻、放送終了時刻及び放送チャンネルを録画・再生処理部２６に設定する。これにより、録画・再生処理部２６は、放送開始時刻になると、放送受信部１６で受信するチャンネルを録画予約で設定されたチャンネルに設定するとともに、録画・再生部１３による録画を開始させる。そして、放送終了時刻になると、録画・再生部１３による録画を停止させる。
【００６２】
これにより、従来のように、新聞や雑誌の番組欄から番組名を選択し、放送開始時刻を入力する、あるいはＧコードを入力するといった煩雑な操作をすることなく、録画予約を容易に行うことができるようになる。
【００６３】
番組録画装置１では、録画・再生部１３で録画用メディアに録画を行うと、ＩＤ生成部２４によりその一連の録画内容（録画開始から録画終了までの一連の録画内容）に対して１つの録画ＩＤを付与し、この録画ＩＤを録画・再生処理部２６が録画内容と対応付けて記録するようになっている。録画内容及び録画ＩＤのフォーマットの例を図６に示す。録画ＩＤは、録画時間帯が、２００２年６月２０日１８：００から１８：５４であり、録画チャンネルが２チャンネルを想定した場合、例えば、これらの数字を並べて構成される「０２０６２０１８００１８５４００２」等の数字列として与えられる。このように、録画ＩＤは、番組情報の番組ＩＤと同様の形式で定められる数字列であり、録画ＩＤと番組ＩＤとを比較することによって、録画した内容と番組情報との一致、不一致等を判別できるようになっている。
【００６４】
次に、番組録画装置１の処理動作について説明する。まず、番組録画装置１の全体的な処理動作について図７に基づいて説明する。番組録画装置１に電源が投入されることで、ステップＳ１に移行する（以下では、「ステップ」を省略して単に「Ｓ１」等と記す）。Ｓ１では、再生部１２に記録媒体が挿入されているかどうかを判断する。挿入されている場合、その記録媒体が番組情報メディアであるかどうかをさらに判断する（Ｓ２）。番組情報メディアであれば、Ｓ３に移行し、番組情報処理部２１が番組情報を抽出し、表示画面生成部２５が番組表の表示画面を作成して表示部１８により表示を行う。そして、録画・再生部１３に録画用メディアが挿入されているかどうかを判断する（Ｓ４）。ここで、録画・再生部１３にも録画用メディアが挿入されており、その録画用メディアに録画内容が含まれていて番組情報メディアとのリンクが可能である場合（Ｓ５）、後述する記録媒体間のリンクを行う動作（記録媒体間リンクルーチン、図８参照）に移行する（Ｓ６）。録画用メディアに録画内容が含まれておらず番組情報メディアとのリンクが不可能である場合（Ｓ５）、後述する番組録画ルーチン（図１０参照）に移行して番組を録画できるようにする（Ｓ１１）。
【００６５】
また、再生部１２及び録画・再生部１３の何れにも記録媒体が挿入されていない場合は、記録媒体が挿入されていないことをユーザに通知する（Ｓ７，Ｓ１２）。この通知の方法としては、表示部１８において、記録媒体が挿入されていないことを示すエラーメッセージを表示する、あるいは、本体２の所定箇所に設けた警告ランプを点灯又は消灯する、といった方法が考えられる。
【００６６】
再生部１２には番組情報メディアが挿入されておらず、録画・再生部１３には録画用メディアが挿入されている場合には（Ｓ７）、後述する番組録画ルーチン（図１０参照）に移行して番組を録画できるようにする（Ｓ８）。
【００６７】
また、再生部１２に挿入されている記録媒体が、番組情報メディアではなく、映像情報を記録した記録媒体（ＤＶＤ−ｖｉｄｅｏ等）であれば、再生モードに移行し、再生部１２により映像情報の再生を開始するとともに、番組録画装置１に接続されたテレビジョン（図示せず）に対して映像情報を出力する（Ｓ９，Ｓ１０）。
【００６８】
上記記録媒体間リンクルーチンのフローチャートを図８に示す。このルーチンでは、再生部１２の番組情報メディアと、録画・再生部１３の録画用メディアとの間で記録媒体間の情報をリンクさせる。
【００６９】
再生部１２の番組情報メディアから読み出される番組情報には、図３で説明したように番組を識別するための番組ＩＤが与えられている。また、録画・再生部１３の録画用メディアには、図６で説明したように録画内容に対応付けられた録画ＩＤが記録されている。この番組ＩＤと録画ＩＤとを比較することで、録画・再生部１３が録画した録画内容と、番組情報メディアの番組情報とをリンクさせる、つまり、録画・再生部１３が録画した録画内容と、番組表中の番組との対応関係を認識することができる。
【００７０】
処理動作としては、まず、ＩＤ抽出部２３が、番組情報処理部２１の取得した番組情報から番組ＩＤを抽出し、メモリ１５に記録しておく（Ｓ２１）。続いて、ＩＤ抽出部２３が、録画・再生部１３の録画用メディアに記録されている録画ＩＤを抽出し、メモリ１５に記録する（Ｓ２２）。
【００７１】
番組ＩＤ及び録画ＩＤの抽出が完了すると、ＩＤ比較部２２が番組ＩＤと録画ＩＤとの比較を行う（Ｓ２３）。ここで、例えば、録画・再生部１３の録画用メディアに２００２年６月２０日１８：３０から１８：５０まで２チャンネルの放送が録画されていた場合には、録画ＩＤとして「０２０６２０１８３０１８５０００２」が含まれていることになる。一方、番組情報メディアの番組情報として、２００２年６月２０日１８：００から１８：５４までの２チャンネルの番組が存在したとすると、その番組ＩＤは、「０２０６２０１８００１８５４００２」となる。
【００７２】
ＩＤ比較部２２は、これらを比較し、録画ＩＤのチャンネル番号と番組ＩＤのチャンネル番号とが一致し、かつ、録画ＩＤの時間帯が番組ＩＤの時間帯と一部重複する場合に、録画ＩＤに対応する録画内容と、番組ＩＤに対応する番組情報とをリンクさせる。このように、録画内容と番組情報との間のリンクは、録画ＩＤと番組ＩＤとが完全に一致する場合のみならず、録画ＩＤ及び番組ＩＤのチャンネル番号が一致し、かつ、時間帯が一部重複している場合にも成立するようにすることが望ましい。番組の放送時間帯と、録画時間帯とが正確に一致していなくても、実質的には対応しているものとみなせることが多いからである。例えば、録画ＩＤを生成する際に参照する日時情報生成部１４からの時刻に関する情報が誤差を含んでいる、あるいは、コマーシャル等の時間を考慮して録画の開始や終了時刻を調整するといったことが想定されるからである。
【００７３】
なお、録画ＩＤ及び番組ＩＤは、通常それぞれ複数記録されているため、記録されている全ての録画ＩＤと番組ＩＤとの組み合わせについてＳ２３の比較を行う。このようにして全ての組み合わせについて比較を行い、リンクが完了すると、ＩＤ比較部２２は、そのリンク結果、つまり録画ＩＤと番組ＩＤとの対応関係をメモリ１５に保存する。
【００７４】
そして、番組表作成手段としての表示画面生成部２５が、番組情報処理部２１の取得した電子番組表データに基づいた番組表を表示するための表示データを生成しつつ、メモリ１５に保存されたリンク結果に基づいて、リンクが成立した番組情報の番組が他の番組とは異なる表示方法で表示されるように表示データに編集を施す（Ｓ２４）。
【００７５】
番組を異なる表示方法で表示するためには、番組表において、対象となる番組名を他の番組の番組名と異なる文字色で表示する、対象となる番組の番組セルを他の番組の番組セルと異なる背景色にする、対象となる番組の番組セルにハッチングを付す、対象となる番組の番組セルを立体表示させる、対象となる番組に対してのみ番組名等の付加情報を表示するなどといった方法が考えられる。そして、編集した番組表を表示部１８が表示する（Ｓ２５）。
【００７６】
表示部１８によって表示される番組表は、例えば図９のようになる。図９では、リンクが成立した番組情報の番組セルに斜線を付している。これにより、ユーザは、リンクが成立した番組、つまり、既に録画した番組を他の番組から一目で区別できるようになる。
【００７７】
このように、記録媒体間でリンクが成立すると、このリンクを用いて、録画・再生部１３側の記録媒体に録画された番組の番組名や出演者、番組内容等の付加情報を、再生部１２側の番組情報メディアから、情報取得手段としての番組情報処理部２１により読み出すことができる（Ｓ２６）。このため、ユーザは、録画した番組に関する情報を容易に入手できる。したがって、録画・再生部１３の録画用メディアに複数の番組を録画した場合でも、リンクが成立している番組情報を用いることで、録画した番組の一部を再生せずとも番組内容を把握することができる。そして、把握した番組内容に基づいて、再生したい番組を再生したり、不要な番組を削除したりすることを容易に行うことができる。なお、番組の再生や削除は、リンクが成立した番組を選択用カーソル３６で選択することにより行うことができるようになっている。
【００７８】
なお、上記では、リンクが成立した番組情報の番組が他の番組とは異なる表示方法で表示されるようにしているが、リンクが成立した番組情報の番組であり、かつ、検索によって図３の付加情報１から３が所定の条件に適合する番組が、他の番組とは異なる表示方法で表示されるようにしてもよい。そのためには、電子番組表データに含まれ、かつ、各番組ＩＤに対応づけられている付加情報１から３に対して、ユーザの入力した条件のもとで検索を行って、特定の番組ＩＤを選択する検索手段として番組情報処理部２１を機能させ、番組表作成手段としての表示画面生成部２５により、番組情報処理部２１の取得した電子番組表データに基づいた番組表を表示するための表示データを生成しつつ、ＩＤ比較部２２により録画用メディアに録画されている録画内容に対応すると認識され、かつ、番組情報処理部２１により上記のように選択された特定の番組ＩＤに対応する番組が、他の番組とは異なる表示方法で表示されるように表示データに編集を施すようになっておればよい。
【００７９】
これにより、表示された番組表を見たユーザは、録画用メディアに録画した番組の中で、ユーザの入力した条件に適合する番組を容易に探し当てることができるようになる。なお、録画用メディアに録画されているがユーザの入力した条件に適合しない番組、及び録画用メディアに録画されていない番組は、同じ表示方法で表示してもよく、互いに異なる表示方法で表示してもよい。
【００８０】
また、録画・再生処理部２６は、リンクが成立した番組について番組情報処理部２１により読み出した付加情報を、録画内容に対応づけて録画用メディアに記録するようにしてもよい。これにより、後に電子番組表データを取得できないような状況においても、付加情報を録画用メディアから読み出して用いることができるようになる。
【００８１】
Ｓ２３においてリンクが成立しない録画用メディアについて、リンクを用いたＳ２６の処理を行うことはできないが（Ｓ２７）、この録画用メディアに新たに番組の録画を行った場合には、その録画内容に対して録画ＩＤが付与されるため、その後はリンクが成立することとなり、リンクを用いたＳ２６の処理を行うことが可能になる。
【００８２】
次に、番組録画装置１による録画の処理について説明する。録画を行う際には、図１０に示すように、本体２の録画開始ボタン２ｃ又はリモコン３の録画開始ボタン３ｂ（図２参照、以下、単に「録画開始ボタン」と記す。）による録画、表示部１８で表示する番組表に基づく予約録画、キーワード検索による予約録画の何れであるかを判別し（Ｓ３１，Ｓ３２，Ｓ３３）、それぞれに該当するルーチンへ移行する（Ｓ３４，Ｓ３５，Ｓ３６）。
【００８３】
それぞれの録画ルーチンについて説明する前に、各録画ルーチンにおいて共通の録画ルーチンについて図１１のフローチャートに基づいて説明する。録画動作を開始する際には、まず、録画開始時刻をＩＤ生成部２４が日時情報生成部１４から取得してメモリ１５に記録する（Ｓ４１）。そして、録画・再生処理部２６が録画・再生部１３による番組録画を開始し、録画用メディアへの録画を始める（Ｓ４２）。番組録画中に本体２の停止ボタン２ｄ又はリモコン３の停止ボタン３ｃ（図２参照、以下、単に「停止ボタン」と記す。）が押された場合や、録画予約で設定された放送終了時間になった場合には、録画・再生処理部２６が録画・再生部１３による番組録画を終了し（Ｓ４３）、録画終了時刻をＩＤ生成部２４が日時情報生成部１４から取得してメモリ１５に記録する（Ｓ４４）。そして、ＩＤ生成部２４は、日時情報生成部１４から現在の日付を取得するとともに、チャンネル制御部２７から録画したチャンネルを取得し、これらと、メモリ１５に記録された録画開始時刻及び録画終了時刻とに基づいて録画ＩＤを作成し、作成した録画ＩＤを録画内容と対応づけて録画用メディアに記録する（Ｓ４５）。
【００８４】
次に、図１０に示したそれぞれの録画ルーチンについて以下に説明する。まず、録画開始ボタンによる録画ルーチン（図１０のＳ３４）について図１２のフローチャートに基づいて説明する。このルーチンでは、録画開始ボタンが押されたかどうかを判断し（Ｓ５１）、録画開始ボタンが押されると、上記図１１の録画ルーチンに移行する（Ｓ５２）。
【００８５】
このように、録画開始ボタンを用いて手動で録画が行われた場合でも、その録画内容には録画ＩＤが付与されて録画用メディアに記録されることになるため、後に、再生部１２の番組情報メディアとのリンクが可能になり、その番組に関連する情報を入手することなどができるようになる。
【００８６】
次に、番組表による録画ルーチン（図１０のＳ３５）について図１３のフローチャートに基づいて説明する。このルーチンは、再生部１２で再生された番組情報をもとにして表示画面生成部２５で作成され、表示部１８が表示した図４の番組表３１に基づいて、番組表３１内の番組名３２などを選択することで録画予約を行うものである。
【００８７】
このルーチンでは、まず、ユーザがリモコン３の選択ボタン３ａ（図２参照）により選択用カーソル３６を操作して、番組表３１内の番組名３２を選択したかどうかを判断し（Ｓ６１）、番組名３２が選択されると、再生部１２の番組情報メディアで再生され、番組情報処理部２１が取得した番組情報のうち、選択された番組に対応する番組情報に基づいて、録画・再生処理部２６が録画予約を行う（Ｓ６２）。具体的には、選択された番組の放送年月日、放送開始時刻、放送終了時刻、放送チャンネル等を、録画予約情報としてメモリ１５に記録する。
【００８８】
その後、録画・再生処理部２６が、メモリ１５に記録した録画予約情報と、日時情報生成部１４の生成する日時情報とに基づいて、録画予約された番組の放送開始年月日の放送開始時刻になるのを待って（Ｓ６３）、上記図１１の録画ルーチンに移行する（Ｓ６４）。録画ルーチン終了後、録画・再生処理部２６は、録画予約中の番組が他にあるかどうかを判断し（Ｓ６５）、ある場合にはＳ６３に移行する。
【００８９】
このルーチンにおいても、録画内容に録画ＩＤが付与されて録画用メディアに記録されることになるため、後に、再生部１２の番組情報メディアとのリンクが可能になり、その番組に関連する情報を入手することなどができるようになる。
【００９０】
次に、キーワード検索による録画ルーチン（図１０のＳ３６）について図１４のフローチャートに基づいて説明する。このルーチンは、ユーザが入力するキーワードをもとにして、再生部１２の番組情報メディアに含まれている番組情報に対して検索を行い、検索結果に基づいて録画する番組をピックアップし、その番組を録画予約するものである。
【００９１】
このルーチンでは、ユーザがリモコン３の選択ボタン３ａ（図２参照）により選択用カーソル３６を操作して、「検索メニューボタン」（図示せず）を押すことにより、表示画面生成部２５及び表示部１８により図１５のような検索メニュー画面が表示される。この検索メニュー画面において、ユーザは、「出演者の名前」、「番組内容」、「ジャンル」等のキーワードを、リモコン３のテンキー３ｄ（文字入力可能なもの）により入力する。
【００９２】
番組情報処理部２１は、上記のようにしてキーワードが入力され、検索実行ボタンが押されたかどうかを判断し（Ｓ７１）、検索実行ボタンが押されると、入力されたキーワードに基づいて、再生部１２の番組情報メディアから取得した番組情報に対して検索を行い（Ｓ７２）、検索結果を表示する（Ｓ７３）。検索結果は、図１６のような検索結果一覧画面として表示される。この検索結果一覧画面からは、表示された全ての番組の録画予約を行う、表示された番組の中から選択した一部の番組について録画予約を行う、あるいは、表示された番組に対してさらに絞込み検索を行うことが可能となっている。番組情報処理部２１は、これらの何れが選択されたかを判断し（Ｓ７４〜Ｓ７７）、それぞれの方法での番組の選択を可能とする。
【００９３】
このようにして番組が選択されると、再生部１２の番組情報メディアで再生され、番組情報処理部２１が取得した番組情報のうち、選択された番組に対応する番組情報に基づいて、録画・再生処理部２６が録画予約を行う（Ｓ７８）。なお、Ｓ７８からＳ８１は、図１３で説明したＳ６２からＳ６５と同じであるので、ここでは説明を省略する。
【００９４】
このルーチンにおいても、録画内容に録画ＩＤが付与されて録画用メディアに記録されることになるため、後に、再生部１２の番組情報メディアとのリンクが可能になり、その番組に関連する情報を入手することなどができるようになる。
【００９５】
このルーチンにおいては、検索結果に基づいて選択された番組の合計の録画時間が、録画用メディアの空き容量を越えるような場合には、その旨の警告を表示するとともに、図１６の検索結果一覧画面において、録画時間の長い順や録画曜日順にリストを表示するようにしてもよい。このリストにおいて、番組情報に基づいて各番組に関連する情報を確認し、その情報に基づいてユーザが不要と判断した番組について、選択を解除できるようになっていてもよい。また、キーワード検索の後、録画したい番組を番組表からさらに追加できるようになっていてもよい。
【００９６】
なお、上記番組表による録画ルーチン及びキーワード検索による録画ルーチンでは、録画予約における録画予約情報をメモリ１５に記録するようにしているが、これ以外に、録画・再生部１３の録画用メディアに記録するようにしてもよい。これによると、録画用メディアを録画・再生部１３から一旦取り出した場合に、再度挿入された時点で、その録画予約情報を読み出し、引き続き録画予約することも可能になる。また、録画用メディアを取り出している期間に放送開始時刻が過ぎた場合については、録画されていない情報を表示部１８を用いて、ユーザに知らせることも可能である。
【００９７】
このように、番組録画装置１では、再生部１の番組情報を記録された番組情報メディアと、録画・再生部１３で番組が録画された録画用メディアとの間で録画日時等が一致している場合には、録画用メディアに録画された番組に関連する情報を、再生部１２の番組情報メディアから入手することができる。これにより、番組情報に含まれる情報を参照しながら、録画用メディアに録画した番組の中から不要な番組を削除することが可能となる。また、この番組情報を用いることで、多チャンネルにて提供さえる膨大、多様化した番組の中から、所望の番組について容易に録画予約を行うことが可能となる。
【００９８】
なお、上記の説明では、番組情報処理部２１が番組情報を取得する際は、常に再生部１２の番組情報メディアから取得するものとしているが、番組を録画する際に、番組情報処理部２１が取得した番組情報を録画・再生部１３の録画用メディアに記録するようにしてもよい。この場合、再生時に再生部１２に番組情報メディアが挿入されてなくても、番組情報を入手することができる。このとき、番組を録画する際に、ユーザの設定により、必要な番組情報のみを録画・再生部１３の録画用メディアに記録するようにしておくことで、必要最小限の情報のみを録画用メディアに記録することができ、録画用メディア内の録画可能時間の減少を緩和することができる。
【００９９】
以上のように、番組録画装置１（番組記録装置）は、放送される内容を録画用メディア（記録媒体）に記録するとともに、その録画内容（記録内容）に対応づけて、その録画（記録）を行った時間帯及びチャンネルを特定可能な録画ＩＤ（第１識別情報）を録画用メディアに記録する記録手段としての録画・再生部１３及び録画・再生処理部２６と、放送される複数の番組の番組表を構成するために予め作成された電子番組表データを取得する電子番組表データ取得手段としての再生部１２及び番組情報処理部２１と、録画用メディアから録画ＩＤを抽出するとともに、取得した電子番組表データから、各番組が放送される時間帯及びチャンネルを特定可能な各番組に対応づけられた番組ＩＤ（第２識別情報）を抽出する識別情報抽出手段としてのＩＤ抽出部２３と、抽出した録画ＩＤと番組ＩＤとに基づいて、録画用メディアに記録されている録画内容と、電子番組表データにより構成される番組表中の番組との対応関係を認識する認識手段としてのＩＤ比較部２２とを備えるものである。
【０１００】
この番組録画装置１では、録画ＩＤと番組ＩＤとに基づくことにより、既に録画用メディアに録画した録画内容が、番組表におけるどの番組に対応しているのかを認識することができる。したがって、この認識結果を利用することにより、例えば、番組表において既に録画している番組とそうでない番組とを区別して表示するなどといったことが可能になる。
【０１０１】
ここで、録画ＩＤは、録画内容に対応づけて録画用メディアに記録されており、その録画を行った時間帯及びチャンネルを特定可能な情報である。また、番組ＩＤは、各番組に対応づけられており、各番組が放送される時間帯及びチャンネルを特定可能な情報である。したがって、録画ＩＤと番組ＩＤとを比較することにより、録画内容にどの番組が含まれているか、といったことを容易に判断することができる。
【０１０２】
このような録画ＩＤと番組ＩＤとに基づいて録画内容と番組との対応関係を認識することにより、録画ＩＤ及び録画内容が記録されている録画用メディアには番組ＩＤを含んだ電子番組表データが記録されていない場合でも、対応関係の認識が可能になる。つまり、録画内容を、番組ＩＤを含んだ電子番組表データが予め記録された番組情報メディアに対して記録しなければならない、といった制約を排除することができるようになる。したがって、記録媒体に録画可能な容量が、電子番組表データを記録することにより減少することも回避することができる。また、録画内容を録画した後で電子番組表データを取得して対応関係を認識するといったことも可能になる。
【０１０３】
また、録画ＩＤ及び録画内容が番組ＩＤとは無関係に録画用メディアに記録されている場合などにおいても、対応関係の認識が可能になる。つまり、番組ＩＤに基づいて録画予約などを行った上で録画しなければならない、といった制約を排除することができるようになる。
【０１０４】
なお、本発明は、記録番組管理方法として捉えることもできる。この記録番組管理方法は、放送される内容を録画用メディアに記録するとともに、その録画内容に対応づけて、その録画を行った時間帯及びチャンネルを特定可能な録画ＩＤを録画用メディアに記録するステップと、放送される複数の番組の番組表を構成するために予め作成された電子番組表データを取得するステップと、録画用メディアから録画ＩＤを抽出するとともに、取得した電子番組表データから、各番組が放送される時間帯及びチャンネルを特定可能な各番組に対応づけられた番組ＩＤを抽出するステップと、抽出した録画ＩＤと番組ＩＤとに基づいて、録画用メディアに記録されている録画内容と、電子番組表データにより構成される番組表中の番組との対応関係を認識するステップとを含むものである。
【０１０５】
次に、番組録画装置１が行うことのできる他の処理について説明する。まず、連続して録画した録画内容を、番組ごとに分割する処理について説明する。例えば、録画開始ボタンによる録画ルーチン（図１２参照）では、図１７に示すように、番組ごとに区分せずに複数の番組を連続して録画することがある。図１７は、２０：００から２１：５４まで連続して４チャンネルが録画された場合を示している。図１７において破線で区分した領域は、録画時間帯中に含まれるＡ〜Ｃ番組の複数の番組の内容に相当する。
【０１０６】
図１７の内容が録画された録画用メディアと、番組情報メディアとの間で図８のリンクルーチンが行われることにより、ＩＤ比較部２２によって録画用メディアの録画ＩＤと、番組情報メディアの番組ＩＤとが比較され、Ａ〜Ｃ番組が録画用メディアの録画内容に含まれていることを認識することができる。すなわち、録画内容は２０：００から２１：５４までであり、Ａ番組の放送時間帯が２０：００から２０：５４まで、Ｂ番組の放送時間帯が２０：５４から２１：００まで、Ｃ番組の放送時間帯が２１：００から２１：５４までであることを認識することができる。
【０１０７】
この情報をもとにして、録画・再生処理部２６は、一連の録画内容を番組ごとに分割し、各番組に対応する録画内容ごとに録画ＩＤを付与し、この録画ＩＤを各録画内容に対応づけて録画・再生部１３により録画用メディアに記録する。その結果、録画用メディアの録画内容は、図１８のようになる。
【０１０８】
このように、番組情報に基づいて録画内容を各番組に分割して録画ＩＤを付与することで、録画内容を再生する際には、この録画ＩＤから得られる情報をもとに、Ｂ番組やＣ番組から視聴を開始することができるようになる。これにより、複数の番組を連続して録画した場合に、いちいち開始時刻を検索することなく頭出しをすることができるようになる。また、録画内容を番組ごとに分割しておくことにより、不要な番組のみの削除を容易に行うことができるようになる。
【０１０９】
このように、番組録画装置１は、放送される複数の番組にまたがって録画用メディアへの録画が行われた場合に、この録画内容に対応づけられた録画ＩＤと、電子番組表データから抽出された番組ＩＤとに基づいて、この録画内容を分割し、分割された各録画内容に対して新たに録画ＩＤを付与する番組分割手段としてのＩＤ比較部２２及び録画・再生処理部２６を備えることが望ましい。
【０１１０】
これにより、放送される複数の番組を連続して録画したような場合に、各番組の放送時間帯を特定可能な番組ＩＤに基づいて、録画内容を各番組に分割し、改めて録画ＩＤを付与することができる。したがって、改めて付与した録画ＩＤに基づいて各番組の頭出し等を容易に行うことができるようになる。
【０１１１】
次に、番組の一部に未録画部分がある場合に、再放送により未録画部分を補う処理について説明する。番組情報に、その番組が再放送である情報を付加情報４として付加した場合の番組情報のフォーマットを図１９に示す。この付加情報４は、以前に放送された同じ番組の番組ＩＤであり、最近のものから順次、番組ＩＤ１、番組ＩＤ２、…として付加される。なお、同じ番組が繰り返し再放送されている場合は、付加情報４の情報量が多くなるのを避けるため、より新しい放送分から数回分の番組ＩＤのみが含まれるようになっていてもよい。
【０１１２】
録画ＩＤには、録画開始時刻及び録画終了時刻を特定するための情報が含まれているため、以前の放送（本放送）で番組の一部のみを録画したときの録画ＩＤと、再放送についての番組情報における番組ＩＤ及び付加情報４に基づいて、録画時間帯から未記録時間を録画・再生処理部２６によって計算し、図２０に示すように、再放送の番組から未録画の部分のみを録画することもできる。
【０１１３】
このとき、設定時間の誤差や、コマーシャルの時間との関係等により未録画時間に誤差が生じることも考えられるため、再放送の番組を録画するにあたって多少の重複録画部分を設定し、未録画時間部分が生じないようにすることが望ましい。これらの重複録画部分をどの程度の時間に設定するかは、ユーザが自由に設定することができ、重複録画部分については、ユーザが録画内容を再生しながら削除することも可能である。
【０１１４】
このように、番組録画装置１は、番組が再放送番組である場合に、その再放送番組の番組ＩＤに対応づけて、その再放送番組と同一内容で以前に放送された本放送番組（前回放送番組）の番組ＩＤを含んでいる電子番組表データを利用するものであってもよい。そして、再放送番組の番組ＩＤと、本放送番組の番組ＩＤとに基づいて、録画ＩＤに対応する録画内容に本放送番組の未録画部分があった場合に、その未録画部分を録画するように録画・再生部１３を制御する記録制御手段としての録画・再生処理部２６を備えることが望ましい。
【０１１５】
これにより、本放送番組の一部を録画し損ねたような場合に、後に同一内容の再放送番組が放送されたときに、録画し損ねた未録画部分を補うように録画することができる。すなわち、再放送番組が放送される時間帯及びチャンネルを特定可能な再放送番組の番組ＩＤと、本放送番組が放送された時間帯及びチャンネルを特定可能な本放送番組の番組ＩＤと、録画内容の録画を行った時間帯及びチャンネルを特定可能な録画ＩＤとに基づくことにより、未録画部分を認識してその部分を録画することが可能になる。
【０１１６】
次に、図１に示した番組録画装置１の一変形例を図２１に示す。図２１の番組録画装置５１には、個人識別部５２及び認証処理部５３が新たに追加されている。なお、図１又は図２で説明した構成要素と同等の機能を有する構成要素については、図１又は図２で用いた符号と同一の符号を付記し、その説明を省略する。
【０１１７】
個人識別部５２は、パスワードや指紋認証等で個人を識別するものであり、例えば、図２２に示すように、リモコン３の一部に設けられている。この個人識別部５２は、指紋認証用のデバイスで構成されおり、この個人識別部５２に指をあてることで、その指の指紋に基づいて個人を識別できるようになっている。
【０１１８】
なお、個人識別部５２は、テンキー３ｄを用いてパスワードの入力を受け付け、入力されたパスワードで個人を識別できるようになっていてもよい。
【０１１９】
この番組録画装置５１によると、例えば、複数人の家族で共用する場合、予め個人識別部５２で家族全員の識別を行い、メモリ１５に各人の指紋を登録しておく。そして、実際に番組録画装置５１を利用際には、認証処理部５３が、個人識別部５２による識別結果に応じて、挿入されている録画用メディアが本人のものであるかどうかを確認し、本人のものでなければ、録画や削除ができないような制御を行うことで、誤った録画や削除の防止を図ることができる。また、再生時においても、本人でなければ再生できないような設定を行うことも可能である。
【０１２０】
また、録画用メディアごとではなく、同一録画用メディア内においても、番組ごとにその番組を録画したユーザ（管理者）を定め、録画内容と管理者とを対応づけて録画用メディアに記録しておくことも可能である。このように、番組ごとに管理者が設定されている場合には、例えば、番組表において管理者が設定されて録画された番組には、管理者名のみが表示されるようにすることができる。また、管理者の設定に応じて、個人認証が行われないと録画内容を削除できないように設定することもできる。これによって、同一録画用メディア内においても、誤消去等を防ぐことができる。
【０１２１】
このように、番組録画装置５１（番組記録装置）は、ユーザを識別する識別手段としての個人識別部５２と、録画用メディア又はその録画用メディアに録画された録画内容が、個人識別部５２により識別されたユーザが利用できるものであるか否かを判別する認証手段としての認証処理部５３を備えることが望ましい。
【０１２２】
これにより、ユーザごとに録画用メディアや録画内容を管理することができ、他のユーザが誤って録画用メディアへの録画を行ったり、録画内容を削除してしまったりすることを防止することができる。また、他のユーザには録画内容を再生できないようにすることもできる。
【０１２３】
なお、上記の説明では、再生部１２の番組情報メディアから番組情報を取得する場合を想定して説明したが、本発明の電子番組表データ取得手段としては、これに限らず、インターネット等のネットワークを介して番組情報を取得するものであってもよい。また、上記の説明では、記録媒体である番組情報メディア及び録画用メディアとして、光ディスクを想定して説明したが、記録媒体としては、これに限らず、固体メモリ等であってもよい。
【０１２４】
【発明の効果】
以上のように、本発明の番組記録装置は、記録内容に対応づけて、その記録を行った時間帯及びチャンネルを特定可能な第１識別情報を記録媒体に記録する記録手段と、電子番組表データを取得する電子番組表データ取得手段と、記録媒体から第１識別情報を抽出するとともに、取得した電子番組表データから、各番組が放送される時間帯及びチャンネルを特定可能な各番組に対応づけられた第２識別情報を抽出する識別情報抽出手段と、抽出した第１識別情報と第２識別情報とに基づいて、記録媒体に記録されている記録内容と、電子番組表データにより構成される番組表中の番組との対応関係を認識する認識手段とを備える構成である。
【０１２５】
また、本発明の記録番組管理方法は、記録内容に対応づけて、その記録を行った時間帯及びチャンネルを特定可能な第１識別情報を記録媒体に記録するステップと、電子番組表データを取得するステップと、記録媒体から第１識別情報を抽出するとともに、取得した電子番組表データから、各番組が放送される時間帯及びチャンネルを特定可能な各番組に対応づけられた第２識別情報を抽出するステップと、抽出した第１識別情報と第２識別情報とに基づいて、記録媒体に記録されている記録内容と、電子番組表データにより構成される番組表中の番組との対応関係を認識するステップとを含む方法である。
【０１２６】
上記の構成又は方法では、第１識別情報と第２識別情報とに基づくことにより、既に記録媒体に記録した記録内容が、番組表を構成するための電子番組表データにおけるどの番組に対応しているのかを認識することができる。また、第１識別情報と第２識別情報とを比較することにより、記録内容にどの番組が含まれているか、といったことを容易に判断することができる。
【０１２７】
このような第１識別情報と第２識別情報とに基づいて記録内容と番組との対応関係を認識することにより、第１識別情報及び記録内容が記録されている記録媒体には第２記録情報を含んだ電子番組表データが記録されていない場合でも、対応関係の認識が可能になるという効果を奏する。したがって、記録媒体に記録可能な容量が、第２識別情報を含む電子番組表データを記録することにより減少することも回避することができるという効果を奏する。また、記録内容を記録した後で電子番組表データを取得して対応関係を認識するといったことも可能になるという効果を奏する。
【０１２８】
また、第１識別情報及び記録内容が第２識別情報とは無関係に記録媒体に記録されている場合などにおいても、対応関係の認識が可能になるという効果を奏する。
【０１２９】
本発明の番組記録装置は、番組表を表示するための表示データを生成しつつ、記録内容に対応すると認識された番組が、他の番組とは異なる表示方法で表示されるように表示データに編集を施す番組表作成手段を備えることが望ましい。
【０１３０】
また、本発明の記録番組管理方法は、番組表を表示するための表示データを生成しつつ、記録内容に対応すると認識された番組が、他の番組とは異なる表示方法で表示されるように表示データに編集を施すステップを含むことが望ましい。
【０１３１】
上記の構成又は方法では、番組表を表示する際に、記録媒体に記録されている記録内容に対応すると認識された番組を、他の番組とは異なる表示方法、つまり、視角上の差異が生じるような表示方法で表示することができる。これにより、表示された番組表を見たユーザは、記録媒体に記録した番組と、記録していない番組とを容易に判別できるようになる。
【０１３２】
本発明の番組記録装置は、付加情報に対してユーザの入力した条件のもとで検索を行って特定の第２識別情報を選択する検索手段と、番組表を表示するための表示データを生成しつつ、記録内容に対応すると認識され、かつ、上記で選択された特定の第２識別情報に対応する番組が、他の番組とは異なる表示方法で表示されるように表示データに編集を施す番組表作成手段を備えることが望ましい。
【０１３３】
上記の構成では、表示された番組表を見たユーザは、記録媒体に記録した番組の中で、ユーザの入力した条件に適合する番組を容易に探し当てることができるようになる。
【０１３４】
本発明の番組記録装置は、記録内容に対応すると認識された番組に関する付加情報を、電子番組表データから取得する情報取得手段を備えることが望ましい。
【０１３５】
上記の構成では、ユーザが、記録内容に関する付加情報を得ることができる。
したがって、記録内容を実際に再生することなく、付加情報に基づいて記録内容が必要かどうかを判断し、不要な記録内容を消去するといったことを簡単に行うことができるようになる。
【０１３６】
本発明の番組記録装置は、取得した付加情報を記録手段が記録媒体に記録することが望ましい。
【０１３７】
上記の構成では、記録媒体に付加情報を記録しておくことにより、後に電子番組表データを取得できないような状況においても、付加情報を記録媒体から取得して用いることができるようになる。
【０１３８】
本発明の番組記録装置は、記録手段により、放送される複数の番組にまたがって記録媒体への記録が行われた場合に、当該記録内容に対応づけられた第１識別情報と、電子番組表データから抽出された第２識別情報とに基づいて、当該記録内容を分割し、分割された各記録内容に対して新たに第１識別情報を付与する番組分割手段を備えることが望ましい。
【０１３９】
上記の構成では、放送される複数の番組を連続して記録したような場合に、各番組の放送時間帯を特定可能な第２識別情報に基づいて、記録内容を各番組ごとに分割し、改めて第１識別情報を付与することができる。
【０１４０】
本発明の番組記録装置は、電子番組表データには、番組が再放送番組である場合に、その再放送番組の第２識別情報に対応づけて、その再放送番組と同一内容で以前に放送された前回放送番組の第２識別情報が含まれており、再放送番組の第２識別情報と、前回放送番組の第２識別情報とに基づいて、第１識別情報に対応する記録内容に前回放送番組の未記録部分があった場合に、その未記録部分を記録するように記録手段を制御する記録制御手段を備えることが望ましい。
【０１４１】
上記の構成では、放送された番組（前回放送番組）の一部を記録し損ねたような場合に、後に同一内容の番組（再放送番組）が放送されたときに記録し損ねた部分（未記録部分）を補うように記録することができる。
【０１４２】
本発明の番組記録装置は、ユーザを識別する識別手段と、記録媒体又はその記録媒体に記録された記録内容が、識別手段により識別されたユーザが利用できるものであるか否かを判別する認証手段とを備えることが望ましい。
【０１４３】
上記の構成では、ユーザごとに記録媒体や記録内容を管理することができ、他のユーザが誤って記録媒体への記録を行ったり、記録内容を削除してしまったりすることを防止することができる。また、他のユーザには記録内容を再生できないようにすることもできる。
【図面の簡単な説明】
【図１】本発明の実施の一形態における番組録画装置の構成を示すブロック図である。
【図２】本発明の実施の一形態における番組録画装置の外観を説明するための図面である。
【図３】本発明の実施の一形態における電子番組表データに含まれる番組情報のフォーマットの例を示す概念図である。
【図４】図１の番組録画装置により作成される番組表の例を示す図面である。
【図５】図４の番組表に重ねて付加情報用画面が表示されている状態を示す図面である。
【図６】図１の番組録画装置で録画用メディアに録画される録画内容及び録画ＩＤのフォーマットの例を示す概念図である。
【図７】図１の番組録画装置による処理の流れを示すフローチャートである。
【図８】図１の番組録画装置により実行される記録媒体間リンクルーチンの処理の流れを示すフローチャートである。
【図９】図１の番組録画装置により作成される番組表の他の例を示す図面である。
【図１０】図１の番組録画装置により実行される番組録画ルーチンの処理の流れを示すフローチャートである。
【図１１】図１の番組録画装置により実行される録画ルーチン（共通部分）の処理の流れを示すフローチャートである。
【図１２】図１の番組録画装置により実行される録画開始ボタンによる録画ルーチンの処理の流れを示すフローチャートである。
【図１３】図１の番組録画装置により実行される番組表による録画ルーチンの処理の流れを示すフローチャートである。
【図１４】図１の番組録画装置により実行されるキーワード検索からの予約録画ルーチンの処理の流れを示すフローチャートである。
【図１５】図１の番組録画装置において検索を行う際に表示される検索メニュー画面を示す図面である。
【図１６】図１の番組録画装置において検索を実行した際に表示される検索結果一覧画面を示す図面である。
【図１７】図１の番組録画装置により、録画用メディアに複数の番組を連続して録画したときの録画内容及び録画ＩＤのフォーマットの例を示す概念図である。
【図１８】図１の番組録画装置により、連続して録画された複数の番組を分割したときの録画内容及び録画ＩＤのフォーマットの例を示す概念図である。
【図１９】本発明の実施の一形態における電子番組表データに含まれる番組情報のフォーマットの他の例を示す概念図である。
【図２０】図１の番組録画装置により、本放送において未録画であった部分を再放送において録画する際の録画内容の関係を説明するための図面である。
【図２１】図１の番組録画装置の一変形例を示すブロック図である。
【図２２】図２１の番組録画装置におけるリモコンの外観を示す平面図である。
【符号の説明】
１　　　番組録画装置（番組記録装置）
２　　　本体
３　　　リモコン
１１　　　制御部
１２　　　再生部（電子番組表データ取得手段）
１３　　　録画・再生部（記録手段）
１４　　　日時情報生成部
１５　　　メモリ
１６　　　放送受信部
１７　　　入力部
１８　　　表示部
２１　　　番組情報処理部（電子番組表データ取得手段、情報取得手段、検索手段）
２２　　　ＩＤ比較部（認識手段、番組分割手段）
２３　　　ＩＤ抽出部（識別情報抽出手段）
２４　　　ＩＤ生成部
２５　　　表示画面生成部（番組表作成手段）
２６　　　録画・再生処理部（記録手段、番組分割手段、記録制御手段）
２７　　　チャンネル制御部
５１　　　番組録画装置（番組記録装置）
５２　　　個人識別部（識別手段）
５３　　　認証処理部（認証手段）
【図１】
2004140527.tif 000003
【図２】
2004140527.tif 000004
【図３】
2004140527.tif 000005
【図４】
2004140527.tif 000006
【図５】
2004140527.tif 000007
【図６】
2004140527.tif 000008
【図７】
2004140527.tif 000009
【図８】
2004140527.tif 000010
【図９】
2004140527.tif 000011
【図１０】
2004140527.tif 000012
【図１１】
2004140527.tif 000013
【図１２】
2004140527.tif 000014
【図１３】
2004140527.tif 000015
【図１４】
2004140527.tif 000016
【図１５】
2004140527.tif 000017
【図１６】
2004140527.tif 000018
【図１７】
2004140527.tif 000019
【図１８】
2004140527.tif 000020
【図１９】
2004140527.tif 000021
【図２０】
2004140527.tif 000022
【図２１】
2004140527.tif 000023
【図２２】
2004140527.tif 000024